(57)【要約】【課題】  より高い寿命を備えるようにした、成形工具内にてガイド管内で移動可能にガイドされて突き出し方向にバネにより付勢されるプランジャを備えた成形工具から成形部品を突き出すための装置を提供する。【解決手段】  成形工具内にてガイド管（９）内で移動可能にガイドされて、突き出し方向（１４）にバネ（１５）により付勢されるプランジャ（６）を備えた、成形工具（３）から成形部品（４）を突き出すためのいわゆるバネクッション（５）において、バネ（１５）を引張りバネ、特に螺旋引張りバネとして構成することが提案されている。引張りバネが負荷の際に半径方向外側にずれないので、実質的により長い寿命が達成され得る。
2005509524.tif 000002
【特許請求の範囲】
【請求項１】
成形工具（３）内にてガイド管（９）内で移動可能にガイドされて、突き出し方向（１４）にバネ（１５）により付勢されるプランジャ（６）を備えた、成形工具（３）から成形部品（４）を突き出すための装置において、上記バネ（１５）が引張りバネであることを特徴とする装置。
【請求項２】
上記引張りバネ（１５）が螺旋バネであって、上記ガイド管（９）およびプランジャ（６）が、実質的にこの螺旋バネ（１５）の内部に配置されていることを特徴とする請求項１または２のいずれかによる装置。
【請求項３】
上記バネ（１５）をガイド管（９）に、そしてガイド管（９）上のプランジャ（６）に、さらにプランジャ（６）に連結するために、それぞれバネ端部内にねじ込まれるネジストップ（１７，１０）が備えられていることを特徴とする請求項２による装置。
【請求項４】
上記バネ（１５）が、プランジャ（６）の中間位置において、中間の傾斜を有しており、ネジストップ（１７，１０）に対するネジの傾斜が、それぞれこの中間バネ傾斜に一致していることを特徴とする請求項３による装置。
【発明の詳細な説明】
【技術分野】
【０００１】
本発明は、成形工具内にてガイド管内で移動可能にガイドされて突き出し方向にバネにより付勢されるプランジャを備えた成形工具から、成形部品、特に薄板から成る成形部品を突き出すための装置に関する。
【背景技術】
【０００２】
このような装置は、公知であり、バネクッションとも呼ばれる。バネとして、このようなバネクッションにおいては、通常の圧縮バネが使用される。
【０００３】
成形工具において、例えばプレス機における多段式の上部および下部から成る連続結合工具が問題となり得る。この場合、上部は、プレスプランジャ内に組み込まれ、この行程運動と共に移動する。現代のプレス機は、毎分数百行程の高い行程数で動く。各行程の間に、成形すべき部品が例えば上部から確実に突き出されなければならない。年間で１億個の生産数は、珍しくない。従来、このような条件のもとで、平均約１／３年の工具寿命が達せられ得る。この場合、バネクッションの摩耗または故障が制限要因として判明している。
【発明の開示】
【発明が解決しようとする課題】
【０００４】
本発明は、特に、より高い寿命により特徴付けられる、成形工具内にてガイド管内で移動可能にガイドされて突き出し方向にバネにより付勢されるプランジャを備えた成形工具から成形部品を突き出すための装置を提供するという課題に基づいている。
【課題を解決するための手段】
【０００５】
本発明によれば、この課題は、このような装置において、バネとして引張りバネが使用されることによって、解決される。
【発明の効果】
【０００６】
本発明は、バネクッション内にて従来使用されている圧縮バネが、圧縮されるとすぐに半径方向外向きに傾斜して、上記傾斜が、上記バネがガイド管に接触するほど大きくなり得るという知識に基づいている。これは、金属摩耗という結果になり、最終的にバネクッションの故障になる。本発明によれば、圧縮バネの代わりに引っ張りバネが使用されることによって、この問題が有利に回避され、提示された課題の意味においてより長い寿命が達成される。
【０００７】
本発明の第一の好適な実施形態によれば、引張りバネとして、螺旋バネが使用され、ガイド管およびプランジャが実質的にこの螺旋バネの内部に配置されるように、取り付けられる。
【０００８】
さらなる好適な実施形態によれば、バネをガイド管そしてガイド管上のプランジャさらにプランジャに連結するために、それぞれネジストップが備えられており、それにバネ端部がねじ込まれる。
【０００９】
付勢により、引張りバネは伸長される。しかしながら、双方のネジストップに対して、バネワイヤは、その傾斜に関して固定されている。これにより、ネジストップから自由領域への移行領域において、バネワイヤの不均一な付勢による傾斜または張架応力の負荷のもとで、捩れが生ずる。このバネ負荷の不安定性を低減し、より高いバネ寿命を達成するために、本発明のさらなる実施形態によれば、ネジストップに対するネジの傾斜が、平均バネ傾斜と一致して選定され、平均バネ傾斜として、バネをプランジャの双方の終端位置の間の中間位置で有するような傾斜を備え得るということが企図される。
【００１０】
本発明によるバネクッションにより、前述した生産量における一年という良好な工具寿命が達成され得る。
【発明を実施するための最良の形態】
【００１１】
本発明は、以下に図面に関連した実施形態に基づいてより詳細に説明される。
【実施例１】
【００１２】
図面において、符号１はそれ自体図示されていないプレス機のプランジャを示している。符号２はプランジャ１に固定された成形工具の上部、符号３は実際の成形工具、符号４は既に成形された薄板部品、符号５はプレスプランジャ１内の段付きボア内に挿入された本発明によるバネクッションを、示している。
【００１３】
上記バネクッション５は、一側にプランジャ６を含んでおり、それは二つのスライドガイド７および８内で長手方向に移動可能である。上記スライドガイド７，８は、内側にてガイド管９上に配置されている。上記ガイド管９は、一種のスリーブ１０の一部であり、それは外側管１１を有している。上記外側管１１は、上述した段付きボアの段部１３に固定されているフランジ１２に繋っている。
【００１４】
矢印１４により示された突き出し方向に、バネクッション５のプランジャ６は、プランジャ６の外周に案内される螺旋引張りバネ１５により張架されている。上記バネ１５は、その上方の端部１６がストップ１７に対して、またその下方の端部１８がガイド管９とスリーブ１０の外側管１１の間の環状スリット上または内でガイド管９に対して、ねじ込まれている。これにより、上記ガイド管９，外側管１１またはスリーブ１０は、バネ１５に対して同様に一種の下方のストップを構成する。
【００１５】
図面は、その完全に引き出された下方の終端位置におけるバネクッション−プランジャ６を示しており、この終端位置でバネ１５が少なくとも張架され、そのためにそれが自由であるその中間領域に沿って僅かな傾斜のみを有している。上記プランジャ６が工具の閉塞の際にバネ行程Ｆだけ上方に向かってその上方の端部位置に押圧されると、上記バネ１５は、最大に張架され、その自由な領域にて最大傾斜を保持する。双方の終端位置の間の正確に半分の区間での突き出し位置において、上記バネ１５は、当然のことながら、中間の傾斜を有する。双方のストップに対して、上記バネ１５は、ネジにより固定される。これにより、双方の終端位置の間の移行の際に、バネ１５の傾斜が変化しない。上記バネを痛めずに、その中間の自由な部分とその双方の端部との間の傾斜の差を平均してできるだけ小さく保持するために、端部における傾斜は、上述した中間の傾斜とほぼ等しく選定される。
【図面の簡単な説明】
【００１６】
【図１】本発明によるバネクッションの組立状態における断面図である。
【符号の説明】
【００１７】
１    プレス機のプランジャ
２    成形工具の上部
３    成形工具
４    既に成形された薄板部品
５    バネクッション
６    プランジャ
７，８    スライドガイド
９    ガイド管
１０    スリーブ
１１    外側管
１２    フランジ
１３    段部
１４    矢印
１５    螺旋引張りバネ
１６    上方の端部
１７    ストップ
１８    下方の端部
【図１】
2005509524.tif 000003
【国際調査報告】
2005509524.tif 000004
2005509524.tif 000005
2005509524.tif 000006
2005509524.tif 000007